(57)【要約】      （修正有）【課題】犬の毛や衣類が絡まったりすることがなく、軽量で強度も充分な非常に有用な犬用引き紐の緩衝器具を提供する。【解決手段】筒状外枠１１と、該筒状外枠１１内に収納されたコイル状バネ１２と、前記コイル状バネ１２の一端に係合させた第１のスライド部材１３と、該第１のスライド部材１３に一端を固定され、他端を前記筒状外枠１１から突出させて引き紐または首輪の連結部を設けた第１の牽引バー１４と、前記コイル状バネ１２の他端に係合させた第２のスライド部材１５と、該第２のスライド部材１５に一端を固定され、他端を前記筒状外枠１１の反対側から突出させて引き紐または首輪の連結部を設けた第２の牽引バー１６とを備え、牽引バーに負荷がかかった時には、前記コイル状バネ１２が圧縮され、牽引バーにかかる負荷が解除された時には、前記コイル状バネ１２が元の長さに伸長するようにした。【選択図】図１
0003181119.tif 000002
【実用新案登録請求の範囲】
【請求項１】
筒状外枠と、該筒状外枠内に収納されたコイル状バネと、前記筒状外枠内においてコイル状バネの一端に係合させた第１のスライド部材と、該第１のスライド部材に一端を固定され、他端を前記筒状外枠から突出させて引き紐または首輪の連結部を設けた第１の牽引バーと、前記筒状外枠内においてコイル状バネの他端に係合させた第２のスライド部材と、該第２のスライド部材に一端を固定され、他端を前記筒状外枠の反対側から突出させて引き紐または首輪の連結部を設けた第２の牽引バーとを備え、
前記第１および第２の牽引バーに負荷がかかった時には、前記コイル状バネが圧縮されて前記第１および第２の牽引バーの筒状外枠から突出する範囲が伸びて、全体として長さが延長し、
前記第１および第２の牽引バーにかかる負荷が解除された時には、前記コイル状バネが元の長さに伸長して前記第１および第２の牽引バーが筒状外枠内にほぼ収納され、全体として長さが縮小するようにしたことを特徴とする犬用引き紐の緩衝器具。
【請求項２】
第１の牽引バーおよび第２の牽引バーは、それぞれ交差する面に配置されていることを特徴とする請求項１記載の犬用引き紐の緩衝器具。
【請求項３】
第１の牽引バーおよび第２の牽引バーは、それぞれＵ字状に形成され、その閉鎖する端面を前記筒状外枠から突出させて、引き紐または首輪の連結部に連結されていることを特徴とする請求項１記載の犬用引き紐の緩衝器具。
【考案の詳細な説明】
【技術分野】
【０００１】
この考案は犬の散歩時において、引っ張り癖のある犬に対応するため、あるいは何かに驚いて犬が引き紐を急激に引っ張った事態に対応するため、緩衝器具を引き紐に接続し、飼い主の安全を確保するとともに、犬の身体への衝撃を緩和することを目的とした犬用引き紐の緩衝器具に関するものである。
【背景技術】
【０００２】
従来の犬用引き紐においては、犬の散歩者の負担や犬にかかる衝撃を軽減するために、各種の緩衝器具が考案されてきている。
例えば、実公昭３０−１５７６８号公報（特許文献１参照）には、引鎖を定着した外枠内に発条を納置し、先端を該発条の一端に外接した帽蓋に装着した引鎖を、該発条内を通して外枠塞板該に引出してなる緩衝装置付家畜用引鎖の構造が提案されている。
【０００３】
また、実用新案登録第３０３２０８０号（特許文献２参照）における衝撃吸収装置付犬の散歩用ベルトは、犬の散歩用ベルトの途中に、二重筒を取り付け、この二重筒内に衝撃吸収のためのスプリングを取り付け、かつ万一スプリングが破損しても犬が逃走しないよう、内外の筒の先端を折曲げてストッパーとし、この犬の散歩用ベルトを飼主の腰ベルト等に接続することにより、犬が急に動きだし強く引っ張られても衝撃が緩和され飼主に危険が及ぶことなく、犬の動きを制御しつつ、両手を自由に使用して犬の糞処理等の作業ができるようにしたことを特徴とするものである。
【０００４】
特許第３８５２０５４号（特許文献３参照）における引っ張り癖犬対応散歩ベルトは、腰ベルトに腰当てパットを腰後方部に挿入して、犬の引っ張り力から腰を守り、またフックホルダーを腰ベルト前方に自在に移動出来るように組み合わせて、犬の急激な左右の引っ張り力で身体バランスが崩れないようにすると共に、メインリードからの引っ張り支点をフックホルダー腰前方約１２ｃｍとして、腰ベルト、及びショルダーベルトに力を均等に分散させる事で、犬の引っ張り力を身体全体で受け止める事ができ、またメインリードにはリード緩衝バネが連結されていることで、犬の引っ張り力の揺動を軽減し散歩者に掛かる負荷を軽減している。
【先行技術文献】
【特許文献】
【０００５】
【特許文献１】実公昭３０−１５７６８号公報
【特許文献２】実用新案登録第３０３２０８０号公報
【特許文献３】特許第３８５２０５４号公報
【考案の概要】
【考案が解決しようとする課題】
【０００６】
しかしながら、上述した各特許文献における引き紐の緩衝器具には、以下のような問題点があった。
１）実公昭３０−１５７６８号公報（特許文献１参照）に用いられている緩衝装置は、引鎖を定着した外枠内に発条を納置し、先端を該発条の一端に外接した帽蓋に装着した引鎖を、該発条内を通して外枠蓋板外に引出したものであるが、一方の引鎖が外枠に定着されているため当該部分が破損しやすく、また当該部分の外枠の強度を保持しようとすると外枠が厚みのある構造となって重くなってしまう。
２）実用新案登録第３０３２０８０号（特許文献２参照）に用いられている衝撃吸収装置は、外枠部分が二重筒となっており、重くなってしまうことは勿論、二重筒の外筒と内筒との間に指や衣類を挟んだり、伸縮動作がスムーズではないという問題点があった。
３）特許第３８５２０５４号（特許文献３参照）に用いされているリード緩衝バネは、その外面が外枠等でカバーされていないため、犬の毛や衣類が絡まってしまうおそれがあり、またリード緩衝バネとストッパーとの関係が不明なためにどのように作用するのかが理解できないという問題点があった。
【０００７】
この考案は上述した問題点を解消したものであり、犬の毛や衣類が絡まったりすることがなく、軽量でかつ強度も充分である非常に有用な犬用引き紐の緩衝器具を提供しようとするものである。
【課題を解決するための手段】
【０００８】
すなわちこの考案の犬用引き紐の緩衝器具は、筒状外枠と、該筒状外枠内に収納されたコイル状バネと、前記筒状外枠内においてコイル状バネの一端に係合させた第１のスライド部材と、該第１のスライド部材に一端を固定され、他端を前記筒状外枠から突出させて引き紐または首輪の連結部を設けた第１の牽引バーと、前記筒状外枠内においてコイル状バネの他端に係合させた第２のスライド部材と、該第２のスライド部材に一端を固定され、他端を前記筒状外枠の反対側から突出させて引き紐または首輪の連結部を設けた第２の牽引バーとを備え、
前記第１および第２の牽引バーに負荷がかかった時には、前記コイル状バネが圧縮されて前記第１および第２の牽引バーの筒状外枠から突出する範囲が伸びて、全体として長さが延長し、
前記第１および第２の牽引バーにかかる負荷が解除された時には、前記コイル状バネが元の長さに伸長して前記第１および第２の牽引バーが筒状外枠内にほぼ収納され、全体として長さが縮小するようにしたことを特徴とするものである。
【０００９】
この考案の犬用引き紐の緩衝器具において、第１の牽引バーおよび第２の牽引バーは、それぞれ交差する面に配置されていることをも特徴とするものである。
【００１０】
この考案の犬用引き紐の緩衝器具において、第１の牽引バーおよび第２の牽引バーは、それぞれＵ字状に形成され、その閉鎖する端面を前記筒状外枠から突出させて、引き紐または首輪の連結部に連結されていることをも特徴とするものである。
【考案の効果】
【００１１】
以上のように構成したこの考案の犬用引き紐の緩衝器具によれば、以下のような作用効果を得ることができる。
１）第１および第２の牽引バーはそれぞれコイル状バネの端部に係合し、筒状外枠には負荷がかからないので筒状外枠を厚くしたり、強度を高める必要がなく、軽量化やコストダウンを図りやすくなる。
２）コイル状バネは筒状外枠に完全にカバーされており、犬の毛や衣類が絡まってしまうおそれがまったくない。
３）第１の牽引バーおよび第２の牽引バーは、それぞれ交差する面に配置されており、また第１の牽引バーおよび第２の牽引バーはそれぞれＵ字状に形成されていて、閉鎖する端面を前記筒状外枠から突出させて引き紐または首輪の連結部に連結するようになっているので、互いに干渉し合うことがなくて動きがスムーズであり、また連結部分の強度が大幅に向上する。
【図面の簡単な説明】
【００１２】
【図１】この考案の犬用引き紐の緩衝器具の実施の形態を示すコイル状バネが伸びた状態の概略断面図である。
【図２】（ａ）はその左側側面図、（ｂ）はその右側側面図である。
【図３】コイル状バネが縮んだ状態の概略断面図である。
【図４】この考案の犬用引き紐の緩衝器具の使用状態の概略説明図である。
【考案を実施するための形態】
【００１３】
以下、この考案の犬用引き紐の緩衝器具の実施の形態を図面に基づいて詳細に説明する。
図１ないし図３に示すように、この考案の犬用引き紐の緩衝器具は、筒状外枠（シリンダ）１１と、該筒状外枠１１内に収納されたコイル状バネ１２と、前記筒状外枠１１内においてコイル状バネ１２の一端に係合させた第１のスライド部材１３と、該第１のスライド部材１３に一端を固定され、他端を前記筒状外枠１１から突出させて引き紐または首輪の連結部１４ａを設けた第１の牽引バー１４と、前記筒状外枠１１内においてコイル状バネ１２の他端に係合させた第２のスライド部材１５と、該第２のスライド部材１５に一端を固定され、他端を前記筒状外枠１１の反対側から突出させて引き紐または首輪の連結部１６ａを設けた第２の牽引バー１６とを備えている。
【００１４】
前記第１の牽引バー１４はＵ字状に形成され、その先端をコイル状バネ１２の一端に係合させた前記第１のスライド部材１３に固着されている。すなわち、前記第１のスライド部材１３は外側端部にフランジ部１３ａを備え、内側端面には内奥に向かってつぼまるハ字状の固定孔１３ｂが形成してある。この固定孔１３ｂに前記第１の牽引バー１４の先端を屈曲させてはめ込み、前記第１のスライド部材１３の外側に設けた凹部１３ｃ内でカシメ１３ｄにより固定している。
前記第２の牽引バー１６もＵ字状に形成され、その先端をコイル状バネ１２の一端に係合させた前記第２のスライド部材１５に固着されている。前記第２のスライド部材１５も外側端部にフランジ部１５ａを備え、内側端面には内奥に向かってつぼまるハ字状の固定孔１５ｂが形成してある。この固定孔１５ｂに前記第２の牽引バー１６の先端を屈曲させてはめ込み、前記第２のスライド部材１５の外側に設けた凹部１５ｃ内でカシメ１５ｄにより固定している。
【００１５】
図示のように、Ｕ字状に形成された第１の牽引バー１４および第２の牽引バー１６は、それぞれ交差する面に配置されている。このように交差するよう配置することにより、それぞれをＵ字状に形成しても互いに干渉し合うことがなく、スライド部材１３，１５や牽引バー１４，１６の強度を出しやすくなるとともに、コイル状バネ１２の内側においてその変形を防止する作用がある。
【００１６】
また、前記第１の牽引バー１４は前記第２のスライド部材１５の挿通孔１５ｅを、前記第２の牽引バー１６は前記第１のスライド部材１３の挿通孔１３ｅを通ってそれぞれ前記筒状外枠１１の端部からその外側に突出している。１４ｂは前記第１の牽引バー１４のＵ字状連結部１４ａに装着した保護カバー、１６ｂは前記第２の牽引バー１６のＵ字状連結部１６ａに装着した保護カバーである。
【００１７】
前記筒状外枠１１はその両端部分にそれぞれ周溝１１ａ，１１ａが形成されており、その周溝１１ａ，１１ａ内にはそれぞれＣ形止め輪２１がはめ込まれて、前記第１および第２のスライド部材１３，１５を抜け止めするようになっている。
【００１８】
この考案の犬用引き紐の緩衝器具に利用に際しては、図４に示すように、前記第１および第２の牽引バー１４，１６における連結部１４ａ，１６ａにそれぞれ引き紐３１と首輪３２とを連結し、散歩等において使用する。その際第１および第２の牽引バー１４，１６に負荷がかかった時には、図２に示すように前記コイル状バネ１２が圧縮されて前記第１および第２の牽引バー１４，１６の筒状外枠１１から突出する範囲が伸びて全体としての長さが延長し、その衝撃が緩和されて散歩する人が急に引っ張られて転倒したり、人体に過度な負担を強いるようなことがなくなる。
【００１９】
他方、前記第１および第２の牽引バー１４，１６にかかる負荷が解除された時には、図１に示すように前記コイル状バネ１２が元の長さに伸長（復元）し、前記第１および第２の牽引バー１４，１６が筒状外枠１１内にほぼ収納され、全体としての長さが縮小して元の状態になる。
この圧縮時や伸長（復元）時のコイル状バネ１２の反発力が人体に過度の負担がかからないよう、コイル状バネ１２の反発力も適度に調節しておくことが望ましい。
【００２０】
以上のように構成したこの考案の犬用引き紐の緩衝器具によれば、以下のような作用効果を得ることができる。
１）第１および第２の牽引バー１４，１６はそれぞれコイル状バネ１２の端部に係合し、筒状外枠１１には負荷がかからないので筒状外枠１１を厚くしたり、強度を高める必要がなく、軽量化やコストダウンを図りやすくなる。
２）コイル状バネ１２は筒状外枠１１に完全にカバーされており、犬の毛や衣類が絡まってしまうおそれがまったくない。
３）第１の牽引バー１４と第２の牽引バー１６とは、それぞれ交差する面に配置されており、また第１の牽引バー１４および第２の牽引バー１６はそれぞれＵ字状に形成されていて、閉鎖する端面を前記筒状外枠１１から突出させて引き紐または首輪に連結するようになっているので、互いに干渉し合うことがなくて動きがスムーズであり、また連結部分の強度が大幅に向上する。
【産業上の利用可能性】
【００２１】
この考案の犬用引き紐の緩衝器具は以上のように構成したので、犬やその他のペット類、家畜等の引き紐のみならず、人体にかかる衝撃や負荷を軽減する必要のある用途であれば、犬用引き紐の用途に何ら限定されるものではない。
【符号の説明】
【００２２】
１１  筒状外枠（シリンダ）
１１ａ，１１ａ  周溝
１２  コイル状バネ
１３  第１のスライド部材
１３ａ  フランジ部
１３ｂ  固定孔
１３ｃ  凹部
１３ｄ  カシメ
１３ｅ  挿通孔
１４  第１の牽引バー
１４ａ  連結部
１４ｂ  保護カバー
１５  第２のスライド部材
１５ａ  フランジ部
１５ｂ  固定孔
１５ｃ  凹部
１５ｄ  カシメ
１５ｅ  挿通孔
１６  第２の牽引バー
１６ａ  連結部
１６ｂ  保護カバー
２１  Ｃ形止め輪
３１  引き紐
３２  首輪
【図１】
0003181119.tif 000003
【図２】
0003181119.tif 000004
【図３】
0003181119.tif 000005
【図４】
0003181119.tif 000006